(57)【要約】【課題】畜舎での家畜等の糞尿による悪臭を消臭することができる消臭装置及び消臭方法を提供すること。【解決手段】  ミネラルを含む薬液を上水道水で所定濃度に希釈して希釈液を生成する希釈手段１１と、希釈液を複数の畜舎に送液する送液手段１２と、希釈液を畜舎内上部から床部に小雨状にして散布する散布手段１３と、希釈手段１１、送液手段１２及び散布手段１３を制御する制御する制御手段１４と、を配設し、制御手段１４は、希釈手段１１で希釈液を生成し、送液手段１２を介して散布手段１３を駆動して畜舎内に散布するように制御することを特徴とする消臭用薬液散布装置１０及び消臭用薬液散布方法である。【選択図】図１
2015119842.tif 000002
【特許請求の範囲】
【請求項１】
薬液を散布することにより畜舎内を消臭する薬液散布装置であって、
薬液散布装置は、ミネラルを含む薬液を上水道水で所定濃度に希釈して希釈液を生成する希釈手段と、
希釈液を複数の畜舎に送液する送液手段と、
希釈液を畜舎内上部から床部に小雨状にして散布する散布手段と、
希釈手段、送液手段及び散布手段を制御する制御する制御手段と、を備え、
制御手段は、希釈手段で希釈液を生成すると共に送液手段を駆動することにより希釈液を圧送することで散布手段によって畜舎内に散布するように制御することを特徴とする消臭用薬液散布装置。
【請求項２】
前記散布手段は、制御手段での自動制御により所定時間毎に所定量散布することを特徴とする請求項１に記載の消臭用薬液散布装置。
【請求項３】
ミネラルを含む薬液にはキトサンを含有することを特徴とする請求項１又は請求項２に記載の消臭用薬液散布装置。
【請求項４】
ミネラルを含む薬液を上水道水で所定濃度に希釈した希釈液を生成し、
希釈液をポンプにより複数の畜舎に送液し、
希釈液を小雨状にして各畜舎の上部から床部に散布することを特徴とする消臭用薬液散布方法。
【請求項５】
前記希釈液の散布は、自動制御により所定時間毎に所定量実施することを特徴とする請求項４に記載の消臭用薬液散布方法。
【請求項６】
ミネラルを含む薬液にはキトサンを含有することを特徴とする請求項４又は請求項５に記載の消臭用薬液散布方法。
【発明の詳細な説明】
【技術分野】
【０００１】
本発明は、消臭用薬液散布装置及び消臭用薬液散布方法、詳しくは、畜舎や施設内の糞尿等による悪臭に対して消臭用希釈液を自動散布することで消臭可能とする技術に関する。
【背景技術】
【０００２】
一般に、畜舎等での牛や豚等の糞尿による悪臭は、近隣への悪臭公害だけでなく、畜舎内の家畜にも健康被害等を及ぼす重大な問題となっている。
【０００３】
すなわち、牛や豚等の家畜は、畜舎内の悪臭により食欲不振を起こし、また、健康を保持できずに病気にかかりやすくなるため、搾乳牛や肉用牛としての成長が遅くなることによって、畜舎での家畜育成の運用効率が低下する問題となっていた。この運用効率の低下は、家畜育成のビジネス上にも大きく影響を与えるものであった。
【０００４】
また、食欲不振のため未消化飼料が増え、その未消化飼料が期限物であり、期限経過後に廃棄処分となるために新しい飼料の購入などが嵩み、かえって、飼料代が増す問題を有していた。
【０００５】
さらに、畜舎内には糞尿によってハエ等の虫が多く発生し、家畜の衛生管理を良くするために殺虫剤等を必要とするため、これを購入する費用が必要であった。また、殺虫剤の代わりに、又はそれに加えて送風扇を必要とし、これを設置する設置費用を必要としていた。
【０００６】
このような、畜舎内の悪臭に対しては微生物を用いて糞尿等による有機性廃棄物を分解することで予防している。
【０００７】
例えば、特許文献１には、微生物を用いた消臭対策が開示されている。すなわち、特許文献１には、排気ファン等を用いて、施設内から施設外へ向かう気流を形成し、その気流を複数のフィルターに順に通過させ、フィルターに形成された生物膜によって粉塵・臭気成分（アンモニアなど）を吸着させ、かつ、定着した有用微生物がそれらを徐々に分解等することにより除塵と脱臭を行う除塵・脱臭システムが開示されている。
【先行技術文献】
【特許文献】
【０００８】
【特許文献１】特開２００６−３４１２４９号公報
【発明の概要】
【発明が解決しようとする課題】
【０００９】
ところが、前記特許文献１に記載の消臭対策は、微生物自体を目で確認してもその量を一目で判断できないので、消臭のために必要とする微生物の量をコントロールすることが困難であった。
しかも、温度や地域によって消臭のために必要とする微生物が異なるため、前記のように目で見えない微生物の量をよりコントロールするのが困難であった。
【００１０】
また、脱臭剤の設置に関しては、脱臭剤が消耗品であり、それを取り換え作業が必要であるため人為的な管理を必要としていた。
さらに、畜舎毎に脱臭剤を設置するため、その畜舎毎に脱臭剤の消耗度等を管理する必要があり、その管理に労力を要していた。
【００１１】
そこで、出願人は、アンモニア臭等を消臭可能とするミネラルを含む薬液を使用し、これを上水道水で所定濃度に希釈した希釈液を自動散布して畜舎内を消臭することにより、畜舎内の消臭対策を定量化して実施できると共に消臭システムの管理を遠隔制御することで労力を低減できることを知見し、この発明を完成させた。
【００１２】
この発明は、前記課題を解決するためになされたもので、自動制御によって希釈液を散布することにより畜舎や施設内での家畜等の糞尿による悪臭を確実に消臭することができる消臭装置及び消臭方法を提供することを目的とする。
【課題を解決するための手段】
【００１３】
請求項１に記載の発明は、薬液を散布することにより畜舎内を消臭する薬液散布装置であって、薬液散布装置は、ミネラルを含む薬液を上水道水で所定濃度に希釈して希釈液を生成する希釈手段と、希釈液を複数の畜舎に送液する送液手段と、希釈液を畜舎内上部から床部に小雨状にして散布する散布手段と、希釈手段、送液手段及び散布手段を制御する制御する制御手段と、を備え、制御手段は、希釈手段で希釈液を生成すると共に送液手段を駆動することにより希釈液を圧送することで散布手段によって畜舎内に散布するように制御することを特徴とする消臭用薬液散布装置である。
【００１４】
請求項２に記載の発明は、前記散布手段は、制御手段での自動制御により所定時間毎に所定量散布することを特徴とする請求項１に記載の消臭用薬液散布装置である。
【００１５】
請求項３に記載の発明は、ミネラルを含む薬液にはキトサンを含有することを特徴とする請求項１又は請求項２に記載の消臭用薬液散布装置である。
【００１６】
請求項４に記載の発明は、ミネラルを含む薬液を上水道水で所定濃度に希釈した希釈液を生成し、希釈液をポンプにより複数の畜舎に送液し、希釈液を小雨状にして各畜舎の上部から床部に散布することを特徴とする消臭用薬液散布方法である。
【００１７】
請求項５に記載の発明は、前記希釈液の散布は、自動制御により所定時間毎に所定量実施することを特徴とする請求項４に記載の消臭用薬液散布方法である。
【００１８】
請求項６に記載の発明は、ミネラルを含む薬液にはキトサンを含有することを特徴とする請求項４又は請求項５に記載の消臭用薬液散布方法である。
【発明の効果】
【００１９】
請求項１及び請求項４に記載の発明によれば、ミネラルを含む薬液を上水道水で希釈した希釈液を畜舎内上部から床部に上方から小雨にして散布するので、畜舎内にまん延している糞尿のアンモニア臭等を散布した小雨が取り込んで床部に落とす効果を有する。
【００２０】
しかも、希釈液には、水溶性キトサン等のミネラルを含むので、ミネラルがアンモニア等の臭いを分解する効果を有する。
さらに、薬液を散布することでアンモニア臭や硫化水素臭等を床部に配設した敷料・床材に落とすことができ、これによって所定時間経過後に堆肥が形成される効果を有する。
【００２１】
また、ミネラルを含む薬液（例えばミネラル水）を上水道で希釈した希釈液を使用するため、広範囲に散布しても元となるミネラルを含む薬液の量が少量で済むので、コストをかけずに消臭対策ができる効果を有する。さらに、ミネラルを含む薬液を上水道水で希釈した希釈液（例えば希釈水）が無色無透明であり取扱いが容易である。
【００２２】
したがって、畜舎内を消臭することで、牛や豚等の家畜が元気になることにより、食欲旺盛となって飼料が購入した分だけ消費されるため、食べ残した飼料はほとんど消化され、無駄な飼料代が低減する。また、成長が早くなってその畜舎や施設で飼う家畜の育成回転率も向上する効果を有する。
【００２３】
さらに、畜舎内を消臭することで、ハエ等の害虫が少なくなり、殺虫剤の購入費用や送風扇の設置費用が少なくて済む。また、前記のように、健康・元気な家畜が育成されることで搾乳牛や肉用牛としての価値を高めることができ、畜産ビジネスの運用を向上させる効果を有する。
【００２４】
請求項２及び請求項５に記載の発明によれば、散布手段は所定時間毎に所定量散布できるように制御可能としているので、季節、地域や畜舎の大きさに応じて散布量や散布時間を設定して散布時間・散布量を定量化できる効果を有する。
また、散布する薬液の量や散布時間等を定量化できるため、自動散布するミネラルを含む薬液を必要の分だけ準備すればよく、使用コストを試算できる効果を有する。
このように散布時間を定量化できるので、従来のような微生物を使用したシステムではできなかった人為的な管理をあまり必要としない効果を有する。
【００２５】
請求項３及び請求項６に記載の発明によれば、薬液内のミネラルにはキトサンを含有するので、畜舎内に散布する希釈液に含まれるキトサンが糞尿等のアンモニア臭等を分解することにより畜舎内を消臭できる効果を有する。
【図面の簡単な説明】
【００２６】
【図１】消臭用薬液散布装置の構造を示したブロック図である。
【図２】消臭用薬液散布装置のユニットの設置状態を示した説明図である。
【図３】畜舎内に希釈液を散布する状態を示した説明図である。
【図４】散布の時間帯を説明した説明図である。
【図５】消臭用薬液散布方法の制御フローを示したフローチャートである。
【発明を実施するための形態】
【００２７】
以下、本実施形態における消臭用薬液散布装置１０について図１を参照して説明する。
【００２８】
（消臭用薬液散布装置の全体構造）
まず、消臭用薬液散布装置１０の全体構造について図１を参照して説明する。
図１は、本実施形態における消臭用薬液散布装置１０の全体構成を示したブロック図である。
図１に示すように、消臭用薬液散布装置１０は、ミネラルを含む薬液を上水道水で所定濃度に希釈して希釈液を生成する希釈手段１１と、希釈液を複数の畜舎２８に送液する送液手段１２と、希釈液を畜舎２８の床部に上方から小雨状に散布する散布手段１３と、希釈手段１１、送液手段１２及び散布手段１３を制御する制御する制御手段１４と、を有する。
【００２９】
（希釈手段の構造）
希釈手段１１は、ミネラルを含む薬液（後述するミネラル水）を、上水道水で例えば略数千倍に希釈して希釈液（希釈水）を生成するものである。
希釈手段１１は、図１に示すように、薬液を貯水する薬液用タンク１５と、薬液を上水道水で希釈する希釈液用タンク１６と、薬液用タンク１５から希釈液用タンク１６に配水する薬液供給管１７と、上水道水供給管１８を有する。
【００３０】
薬液用タンク１５は、希釈液に比べて少量の薬液を貯水するものである。すなわち、薬液用タンク１５は、密閉容器内で薬液を一時的に収納可能に構成しており、収納可能とする薬液の量を検出する電極式レベルセンサ１９をその内部に設けている。
【００３１】
希釈液用タンク１６は、前記薬液用タンク１５よりタンク容量が大きいものを使用する。希釈液用タンク１６内にも、前記薬液用タンク１５と同様に、収納される水の量を検出する電極式レベルセンサ２０をその内部に設けている。
【００３２】
薬液用タンク１５には、薬液送水用ポンプ２１を連設し、そのポンプと希釈用タンクとの間に薬液供給管１７を配設している。
また、希釈液用タンク１６には、上水道水が供給するための上水道水供給管１８が連設されている。上水道水供給管１８上には供給管用電動弁３３が設けられている。
【００３３】
このように構成することにより、希釈液用タンク１６には、薬液送水用ポンプ２１により薬液用タンク１５から薬液が薬液供給管１７を通して供給される。また、希釈液用タンク１６には、上水道水供給管１８を通して上水道水が供給される。
【００３４】
そして、希釈液用タンク１６内において、少量の薬液と多量の上水道水が混合されることにより、薬液を上水道水で希釈した希釈液が生成される。
【００３５】
（送液手段の構造）
次に、送液手段１２について説明する。
送液手段１２は、希釈液圧送ポンプ２２とメイン供給管２３と複数の分岐管とからなる。
【００３６】
希釈液用タンク１６には、その近傍に希釈液圧送ポンプ２２を配設し、その希釈液圧送ポンプ２２にメイン供給管２３が連設される。
メイン供給管２３上には配水管用電動弁３４が配設されている。
希釈液圧送ポンプ２２は、その下流側に連設する散布管に対して圧力を高めて希釈液を供給するものである。このため、メイン供給管２３上に圧力ゲージ３５を設けている。
【００３７】
メイン供給管２３の下流側は、複数の畜舎２８に対応するように複数の分岐管で構成しており、本実施形態では、５つの分岐管（第１分岐管２４ａ〜第５分岐管２４ｅ）で構成している。各分岐管上には、第１電動弁２５ａ〜第５電動弁２５ｅが配設されている。図１に示すように、各分岐管は後述する各畜舎２８ａ〜２８ｅ内の複数の散布管（第１散布管２６ａ〜第５散布管２６ｅ）にそれぞれ連設されている。
【００３８】
以上の希釈手段１１及び送液手段１２は、装置ユニット２７内に配設されている。
すなわち、図１の枠線内に示すように、装置ユニット２７内には、薬液用タンク１５、薬液送水用ポンプ２１、希釈液用タンク１６、希釈液圧送ポンプ２２、メイン供給管２３、第１分岐管２４ａ〜第５分岐管２４ｅ等がまとめて収納されている。
【００３９】
図２は、消臭用薬液散布装置１０の装置ユニット２７の設置状態を示した説明図である。
図２に示すように、装置ユニット２７は、畜舎や施設の外部壁面等に沿って設置することができる。
このように、制御手段１４である装置ユニット２７を畜舎２８の散布場所内ではなく例えば外部壁面に設置している。
これは、畜舎２８内での薬液散布制御を遠隔操作できるテレメトリー（遠隔測定法）システムを構築したものである。
【００４０】
（制御手段の構造）
また、装置ユニット２７内には、制御手段１４となる制御盤２９を設けている。
制御手段１４は、制御盤２９上にＣＰＵ（Central Processing Unit）やＲＡＭを備えたコンピュータ装置を有するものであり、薬液用タンク１５、薬液送水用ポンプ２１、希釈液用タンク１６、希釈液圧送ポンプ２２、供給管用電動弁３３、第１電動弁２５ａ〜第５電動弁２５ｅとそれぞれ電気的に接続されており、これらを駆動する制御を行う。
【００４１】
制御盤２９は電源系３０（例えば２００Ｖ電源）を備えており、その電源系３０は、薬液送水用ポンプ２１、希釈液圧送ポンプ２２、各電動弁（供給管用電動弁３３、第１電動弁２５ａ〜第５電動弁２５ｅ）に電気を供給している。
【００４２】
（散布手段の構造）
次に、散布手段１３について説明する。
散布手段１３は、各畜舎２８内に散布するための散布管とスプレーノズル３２からなる。
【００４３】
散布管（第１散布管２６ａ〜第５散布管２６ｅ）は、細長のステンレス鋼管で構成し、畜舎２８の床部に配設する敷料３１・床材から所定高さを有する箇所、例えば、畜舎２８の天井部分の梁部分に沿ってその先端側を延伸して構成する。散布管（第１散布管２６ａ〜第５散布管２６ｅ）の基端側は、前記装置ユニット２７内の分岐管（第１分岐管２４ａ〜第５分岐管２４ｅ）に連設されている。
【００４４】
その延伸した散布管（第１散布管２６ａ〜第５散布管２６ｅ）上にスプレーノズル３２，３２，３２・・・が所定間隔を有して複数配設されている。スプレーノズル３２，３２，３２・・・は、畜舎２８の敷料３１等の床部に向かって畜舎上部から水を散布するものである。
なお、スプレーノズル３２，３２，３２・・・は、畜舎２８の天井部に配設することで、散布管（第１散布管２６ａ〜第５散布管２６ｅ）内の圧力水を畜舎２８の敷料３１（オガクズ、モミガラ、稲わら等の敷材）の全面に満遍なく放水できるものを使用するのが好ましい。
【００４５】
（散布方法の説明）
次に、散布の方法について説明する。本実施形態では、牛舎や豚舎等の畜舎２８内に散布する。
図３は、畜舎２８内の散布の状態を説明する説明図である。
【００４６】
まず、薬液用タンク１５内に薬液を充填する。
ここで、本実施形態における薬液の具体的な成分は表１の以下の通りである。
【００４７】
【表１】
2015119842.tif 000003
【００４８】
本実施形態における薬液はミネラル水を使用するものであり、使用するミネラル水には水溶性キトサンを含有している。水溶性キトサンは抗菌・消臭する機能を有する。この水溶性キトサンを含有するミネラル水を上水道水で希釈して散布することで、糞尿に含まれるアンモニア臭や硫化水素臭等を消臭することができる。
【００４９】
また、ミネラル水は、堆肥を形成するときの促進剤として硝酸性及び亜硝酸性窒素等の物質を含有している。さらに、薬液は、通常のミネラルウォータと同様の物質（コバルト、ルビジウム等）を含有している。
なお、本実施形態における薬液は、アンモニア臭等を消臭する物質としてキトサンを含有しているが、これに限られず他の消臭機能を有する物質を含有した薬液を使用してもよい。
【００５０】
制御手段１４は薬液送水用ポンプ２１を駆動するように制御する。これにより、薬液用タンク１５に充填された薬液が薬液供給管１７を通して希釈液用タンク１６に送水される。
また、制御手段１４は供給管用電動弁３３を開放して上水道水供給管１８を通して上水道水を希釈液圧送ポンプ２２によって送水される。
【００５１】
そして、希釈液用タンク１６内では少量の薬液が多量の上水道水で所定濃度に希釈される。
本実施形態では、例えば、５０ｃｃの薬液から５０リットルの１０００倍に希釈した希釈液が希釈液用タンク１６内で生成される。
【００５２】
次に、制御手段１４は、希釈液圧送ポンプ２２を駆動するように制御する。ポンプへの制御は畜舎２８に散布する散布時間の到達時に行う。希釈液圧送ポンプ２２を駆動制御することで、メイン配水管を通して希釈液用タンク１６に充填された水を各分岐管（第１分岐管２４ａ〜第５分岐管２４ｅ）に供給する。
【００５３】
そして、制御手段１４は、各分岐管（第１分岐管２４ａ〜第５分岐管２４ｅ）上のうちのある電動弁（第１電動弁２５ａ〜第５電動弁２５ｅ）を駆動させて開放する。開放することにより、図３に示すように、ある畜舎２８の散布管（第１散布管２６ａ〜第５散布管２６ｅ）に希釈液が供給され、スプレーノズル３２，３２，３２・・・から希釈液が放水される。
【００５４】
このとき、前記希釈液圧送ポンプ２２は、散布管（第１散布管２６ａ〜第５散布管２６ｅ）に圧力を高めて希釈液を供給するようにしている。このように散布管内の希釈液の圧力を高めることでスプレーノズル３２，３２，３２・・・から勢いよく希釈液を放出するようにしている。
そして、希釈液を畜舎２８内の悪臭を取り込みながら小雨のようにして敷料３１に散布するように構成している。
スプレーノズルは、糞尿を排出する牛や家畜に希釈液が直接当たるように噴射方向を調節可能に構成してもよい。これにより、糞尿を消臭すると共に家畜の体を洗浄することになり、洗浄することで家畜が健康・元気になる効果を有する。
【００５５】
例えば、制御手段が第１電動弁２５ａを駆動して所定時間（例えば２〜３分）経過後、その駆動を停止させる。このように、第１畜舎２８ａへの薬液の散布を完了させる。
【００５６】
この後、次の畜舎（第２畜舎２８ｂ）に散布するための薬液を希釈する工程から散布するまでの前記第１畜舎２８ａへの散布と同じ工程を繰り返す。以下、第３畜舎２８ｃへの散布、第４畜舎への散布２８ｄ、第５畜舎２８ｅへの散布を自動制御により行う。
【００５７】
図４は、一日の散布スケジュールを示した説明図である。
例えば、図４に示すように、各畜舎２８ａ〜２８ｅへの散布時間を、１０時、１２時、１４時、１６時の時間帯にそれぞれ設定し、設定した各時間帯において、各畜舎２８ａ〜２８ｅでの散布時間を２〜３分としてこれを複数回（例えば３回）繰り返す。
【００５８】
散布は、１ｍ２あたり１０００倍の希釈液を５０ｃｃの量で小雨状にして行う。したがって、１回あたりの散布する希釈液はコップ１杯にも満たない量でよく、したがって薬液の量を多く使用せずに済む。また、散布する希釈液の量も少ないので早期に乾燥して通常の状態とあまり変わらない。
【００５９】
散布は、全ての畜舎２８ａ〜２８ｅに同時に散布するのではなく、畜舎毎に散布するのが好ましい。畜舎毎に散布することで、希釈液用タンク１６には１つの畜舎内に散布する量の希釈液を充填すればよいことになる。
したがって、希釈液用タンク１６のタンク容量をコンパクトにして装置ユニット２７内に収納できる効果を有する。
【００６０】
本発明では、散布は、霧式又は小雨式の両方の散布方式を適用可能としているが、霧式であると外からの風により敷料３１に落ちずに壁材に付着するので、畜舎２８の上部から床部の敷料３１等に確実に落とすために、霧式より水滴の大きい小雨にすることが好ましい。したがって、散布用ノズルはそのようなスプレーノズル３２を採用している。
【００６１】
このように、希釈液を上部から床材への小雨による散布方式としているので、小雨の水滴が糞尿の臭い等の分子を取り込みながら敷料３１に落下させる効果が考えられる。
また、小雨は薬液を希釈した希釈液であるので、この希釈液がアンモニア臭を分解するキトサンを含有しているので、糞尿による消臭効果を有する。
【００６２】
しかも、希釈液を敷料３１に散布した後は、敷料３１中の糞尿と混合し、これらが所定時間を経て堆肥となる。
すなわち、家畜の糞尿等は、通常では所定時間を経て堆肥化することができるが、本発明では消臭した状態で堆肥化が可能である。
【００６３】
本発明は、制御手段１４によって自動的に散布するものである。すなわち、散布は、制御手段１４で自動的に所定時間毎に所定量の希釈液を散布するようにＣＰＵに格納されたプログラムにより制御されている。
例えば、畜舎２８の数や面積と散布時間とを設定することで、後はプログラムにより自動散布が可能になる。
【００６４】
制御手段１４でのプログラムによる自動散布の方法は以下の通りである。図５は、本発明の消臭用薬液散布方法の制御方法を示したフロー図である。
【００６５】
まず、制御手段１４は、薬液タンク内のレベルセンサを用いて薬液用タンク１５内の薬液の充填量をチェックする（ステップＳ１０１）。
【００６６】
次いで、薬液用タンク１５内の薬液の量が所定量満たしているか否かを判断する。
もし、所定量に充填されていない場合には（ステップＳ１０２のＮｏ）、作業者等に薬液を薬液用タンク１５内に充填させるように警告を発する等をする。
【００６７】
所定量に充填されている場合には（ステップＳ１０２のＹｅｓ）、上水道水供給電動弁を開放して、上水道水を希釈液用タンク１６に充填すると共に、薬液用ポンプを駆動させ薬液を希釈液用タンク１６内に充填させる（ステップＳ１０３）。
【００６８】
次に、制御手段１４は、時間をＣＰＵによりカウントし（ステップＳ１０４）、散布時間であるか否かを判断する（ステップＳ１０５）。
散布時間でない場合（ステップＳ１０５のＮｏ）には、散布時間になるまでそのまま時間をカウントする。
【００６９】
そして、散布時間であることを検出した場合（ステップＳ１０５のＹｅｓ）には、希釈液圧送ポンプ２２を駆動するようにする（ステップＳ１０６）。
さらに、ある畜舎２８ａ〜２８ｅの散布管の電動弁（第１電動弁２５ａ〜第５電動弁２５ｅ）を駆動・開放して（ステップＳ１０７）、散布管に希釈液を供給し、散布管上のスプレーノズル３２から希釈液を放出させる。
また、制御手段１４は、各電動弁を駆動して各畜舎２８ａ〜２８ｅ内に散布するように制御する。
【００７０】
この後、制御手段１４は、散布時間終了であるか否かをＣＰＵの時間のカウントにより判断し（ステップＳ１０８）、散布終了時間でない場合（ステップＳ１０８のＮｏ）、そのまま希釈液圧送ポンプ２２と電動弁を駆動した状態に保持する。散布終了時間である場合（ステップＳ１０８のＹｅｓ）、すべてのポンプや電動弁の駆動を停止する（ステップＳ１０９）。以上のようにして制御フローを完了させる。
なお、前記制御フローは例示であり、制御内容及び方法は適宜変更可能としている。
【００７１】
このように、自動的に畜舎２８内に希釈液を散布するので、人手を必要とせずに消臭対策をすることができる。
すなわち、畜舎２８外でわずかな時間で管理（薬液の補充等の管理）すれば、ほとんど自動的に散布するので略完全無人化することができる。
また、具体的な自動散布は、図１に示すテレメータ等を使用して管理したり、有線・無線等を使用することで別の場所に設置したサーバー上で管理したりすることができる。
このようにして、本発明は、遠隔操作による自動散布とするテレメトリー（遠隔測定法）システムを構築できるものである。
【００７２】
また、消臭の手順、すなわち、薬液を希釈した希釈液を生成し、その希釈液を畜舎２８に散布するまでの手順が一元化確立しており、その手順を機械化（前記のように自動散布）することもできるし、マニュアル化（人手が介在して散布）することもできる。
【００７３】
以下、実験例の結果を示す。
実験では、薬液を所定濃度で希釈し、希釈した水を牛舎内上部（床上約２ｍ付近）から敷料３１に向けて散布した。
そして、消臭対策前と消臭対策後とでアンモニア濃度を測定した。対策前では牛舎内のアンモニア濃度は２０ｐｐｍであったが、対策後では１ｐｐｍまで低減した。すなわち、１９ｐｐｍのアンモニア濃度が低下する改善が見られた。
【００７４】
また、以上のような散布工程を数日間行うことにより、畜舎２８内の糞尿等による消臭の効果が人の嗅覚でもはっきりと効果があることがわかった。
【００７５】
しかも、敷料３１等に水と共にアンモニア臭等の分子が落下・付着し、これらが時間を経ることにより堆肥を形成できる効果があった。
【００７６】
また、消臭対策をすることで、牛や豚等の家畜について、臭いによる健康被害を低減することができ、食欲不振を解決できるので飼料の食べ残しが少なくなり、さらに無駄な飼料代を低減することができた。
【００７７】
【表２】
2015119842.tif 000004
【００７８】
そのような健康改善を表２に示す。
表２に示すように、乳房炎罹患や子牛罹患は消臭前では散見されていたが、消臭対策後ではほとんど０になった。
すなわち、罹患率や死亡率が激減する結果を得た。また。餌代の費用も低減し、補充購入費用も０になった。また、敷料も糞尿の消臭が消えることで敷料３１（オガクズ）等を交換する費用を低減することができた。販売用牛としての単価の上昇がみられた。
【００７９】
このように、糞尿による悪臭が消滅することにより、畜舎２８内の家畜が元気・健康となり、病気・事故が減少し、病気の治療代が減少する等の効果を有する。
また、餌をよく食べることになり、未消化の飼料が減少する効果を有する。さらに、堆肥販売も達成することができ、その完成堆肥での大腸菌は確認されなかった。
【００８０】
前記家畜等の健康を向上させることに加えて畜舎２８内での牛等の育成の回転率を向上させる効果を有する。
すなわち、畜舎２８内で病気をせずに肉牛や乳牛として成長するので、畜舎２８内で飼育する家畜の育成の回転率が向上できる効果を有する。
【００８１】
【表３】
2015119842.tif 000005
【００８２】
次に、本発明の経営改善効果について説明する。
表３は、本発明を導入した経営改善効果を示した表である。表３の結果により従来ではハエ等の殺虫剤を必要としていたが、畜舎２８内が消臭されるために殺虫剤の購入代金が不要になる。
また、従来では虫対策として送風扇を畜舎２８内配設していたが、ハエ等が存在しなくなるのでその分の稼働費用が少なくて済む（６月〜８月は夏季のために稼働率が上昇）。また、敷料等の購入費用を抑制することができた。さらに、無償飼料を導入することで飼料代の削減が実現できた。
【００８３】
さらに、従来では微生物の効果が目で明確に見えるものではなく、コスト試算のために定量化して把握できるものではなかったが、本発明では、畜舎２８の面積に応じて散布量を計算することで定量化してコスト試算することができる。
これにより、最低限必要とする薬液の量を把握することができ、消臭対策のためのコスト試算が簡単になる。
【００８４】
本願発明では畜舎２８内での家畜の糞尿の消臭について説明したが、畜舎２８に限られず、堆肥センター、複合施設等、施設の種類に関係なく本発明に係る消臭装置を設置可能に構成している。
本発明に係る消臭用薬液散布装置１０は、例えば、食品残渣や有機汚泥物処理施設にも適用することができる。
【００８５】
すなわち、地域や場所に関係なく、自動散布により消臭対策が行えるシステムとして導入することが可能である。
また、本発明は、牛舎や豚舎等の家畜の種類に関係なく畜舎２８内への散布が可能である。
【００８６】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００８７】
１０  消臭用薬液散布装置
１１  希釈手段
１２  送液手段
１３  散布手段
１４  制御手段
１５  薬液用タンク
１６  希釈液用タンク
１７  薬液供給管
１８  上水道水供給管
１９  電極式レベルセンサ
２０  電極式レベルセンサ
２１  供給管用電動弁
２２  希釈液圧送ポンプ
２３  メイン供給管
２４ａ〜２４ｅ  第１分岐管〜第５分岐管
２５ａ〜２５ｅ  第１電動弁〜第５電動弁
２６ａ〜２６ｅ  第１散布管〜第５散布管
２７  装置ユニット
２８  畜舎
２８ａ〜２６ｅ  第１畜舎〜第５畜舎
２９  制御盤
３０  電源系
３１  敷料・床材
３２  スプレーノズル
【図１】
2015119842.tif 000006
【図２】
2015119842.tif 000007
【図３】
2015119842.tif 000008
【図４】
2015119842.tif 000009
【図５】
2015119842.tif 000010